(57)【特許請求の範囲】
【請求項１】
平面上に静置して自立可能な盾本体の正面側に所定の文字を表示し、この盾本体の裏面には取っ手と変位センサと警報器とを設け、この変位センサと警報器とを接続して、自立する盾本体を静置する平面から持ち上げたとき変位センサからの信号により警報器を作動させるとともに、
盾本体の裏面の周縁部に沿って把持部材を設け、盾本体の周縁部とともに把持部材を掴んで持ち上げたとき警報器を非作動状態にする安全装置を設けたことを特徴とする防護盾。
【請求項２】
前記安全装置を盾本体の裏面の上端部に設けるとともに、前記盾本体を後傾姿勢で自立可能に構成したことを特徴とする請求項１記載の防護盾。
【請求項３】
前記変位センサは、上下方向に移動可能な可動片と、この可動片の位置を検知するセンサとにより構成し、前記盾本体を平面上に静置したとき可動片の下端を該平面上で保持し、盾本体を持ち上げたとき可動片を垂下させて、この可動片の変位を前記センサにより検知して前記警報器を作動してなり、
前記安全装置は、前記把持部材を盾本体の裏面の上端部に上下動可能に取り付けるとともに、この把持部材を前記可動片と連結したことを特徴とする請求項１記載の防護盾。
【請求項４】
前記安全装置は、盾本体の裏面の上端部に警報器を非作動状態にするスイッチを設けるとともにバネ蝶番状の把持部材を取り付けて、盾本体の上端部とともにこの把持部材を掴むことで前記スイッチを押下可能に構成したことを特徴とする請求項１記載の防護盾。
【発明の詳細な説明】
【技術分野】
【０００１】
本発明は、暴漢や強盗などに襲われた際に、店員の身を守るために小売店のレジカウンタ内の所定の場所に備え付けておくための防護盾に関するものである。
【背景技術】
【０００２】
近年の犯罪の増加や凶悪化に伴って、対人撃退用のスプレーや警報アラーム等の機能を備えた防護盾が徐々に普及し始めている。コンビニエンスストアなどの商店においては深夜営業の時間帯に現金奪取を目的とした強盗事件が頻繁に発生しており、この深夜営業時間帯は特に店員の数も少ないため危険が大きいこともあって、この防護盾をレジカウンタ内に設置する店舗が増加している。
【０００３】
防護盾は、スペースの限られたレジカウンタ内において日常業務に支障のない場所に設置する必要があり、また、特にコンビニエンスストアでは店員のほとんどがアルバイトであって防護盾は取扱容易であることが望ましいことから、従来は、図６に示すように、バックカウンタの戸棚に支持具５０を取付けておき、この支持具５０に防護盾５１を着脱容易に装着して非常時に店員が即座に盾を手に取れるように構成されている。
【０００４】
また、コンビニエンスストアには、従来から各所に非常用の押しボタン（図示せず）が設けられていて、これを押すことにより店内に設置された警報システムを作動させて周囲に危険を報せることができる。しかし、非常時の恐怖感等のため店員がこのボタンを押せない場合が多かった。
【０００５】
そのため、この防護盾５１は、支持具５０にマグネット５３を取り付けるとともに警報器５２にセンサを内蔵し、マグネット５３とセンサとの相対位置が所定の距離だけ変化したときセンサにより警報器５２を作動するように構成して、支持具５０から防護盾５１を取り外すと同時に自動的に警報器５２を作動させる。
【０００６】
しかし、このような非常時に後ろを向いて盾を手に取るのは危険であるし、強盗などに対して背を向けることに対する恐怖感もある。また、防護盾は低い位置に備え付けられており、混雑時にぶつかるなどして誤って防護盾が支持具から外れてしまい、警報器を作動させてしまうおそれもある。
【発明の開示】
【発明が解決しようとする課題】
【０００７】
解決しようとする問題点は、レジカウンタ内の限られたスペースにおいて、非常時には防護盾を即座に手に取って構えるとともに警報器を作動させることができ、通常時には日常業務に支障を生じることなく、かつ警報器を誤作動させることのないように防護盾を備え付けておくことが困難だった点であり、本発明は、警報器の誤作動を防止し、日常業務に支障を生じることがなく、さらに非常時には即座に手に取って構えるとともに警報器を作動させることができる防護盾を提供することを目的とする。
【課題を解決するための手段】
【０００８】
上記課題を解決するために、請求項１記載のごとく、平面上に静置して自立可能な盾本体の正面側に所定の文字を表示し、この盾本体の裏面には取っ手と変位センサと警報器とを設け、この変位センサと警報器とを接続して、自立する盾本体を静置する平面から持ち上げたとき変位センサからの信号により警報器を作動させるとともに、盾本体の裏面の周縁部に沿って把持部材を設け、盾本体の周縁部とともに把持部材を掴んで持ち上げたとき警報器を非作動状態にする安全装置を設けた防護盾を提供する。
【０００９】
請求項２記載のごとく、前記安全装置を盾本体の裏面の上端部に設けるとともに、前記盾本体を後傾姿勢で自立可能に構成した防護盾を提供する。
【００１０】
請求項３記載のごとく、前記変位センサは、上下方向に移動可能な可動片と、この可動片の位置を検知するセンサとにより構成し、前記盾本体を平面上に静置したとき可動片の下端を該平面上で保持し、盾本体を持ち上げたとき可動片を垂下させて、この可動片の変位を前記センサにより検知して前記警報器を作動してなり、前記安全装置は、前記把持部材を盾本体の裏面の上端部に上下動可能に取り付けるとともに、この把持部材を前記可動片と連結した防護盾を提供する。
【００１１】
請求項４記載のごとく、前記安全装置は、盾本体の裏面の上端部に警報器を非作動状態にするスイッチを設けるとともにバネ蝶番状の把持部材を取り付けて、盾本体の上端部とともにこの把持部材を掴むことで前記スイッチを押下可能に構成した防護盾を提供する。
【発明の効果】
【００１２】
請求項１記載のごとく、自立可能に構成して正面側に所定の文字を表示した盾本体を通常時にはレジ休止板として使用するとともに、警報器と変位センサとにより自立した盾本体を持ち上げたとき警報器を作動させる一方、盾本体の周縁部を掴んだとき盾本体とともに把持されて警報器を非作動状態にする安全装置を盾本体裏面の周縁部に設けたことにより、レジ休止板として平面上に静置されている盾本体を移動するときはその周縁を掴んで安全装置を作動させつつ防護盾を持ち上げることで警報器を非作動状態にし、緊急時には取っ手をもって盾本体を持ち上げて構えることにより安全装置を作動させずに、警報器を作動させて周囲に非常を報せることができる。
【００１３】
請求項２記載のごとく、安全装置を盾本体の裏面上端部に設けるとともに盾本体を後傾姿勢で自立させたことにより、盾本体の上端部がレジ操作者側に向くため盾本体の上端部を掴みやすく、移動させる際に確実に盾本体の上端部とともに把持部材を掴んで安全装置を作動させ、警報器を非作動状態にすることができる。また、レジ休止板としての使用時に正面側に表示した文字が客に見えやすい。
【００１４】
請求項３記載のごとく、上下方向に移動可能な可動片と、この可動片の変位を検知するセンサとにより変位装置を形成し、盾本体の上端部に配置した上下動可能な把持部材を可動片と連結したことにより、従来の休止板を移動させるときと同様の、板の上端部を掴むという操作で、把持部材を把持することに特別な注意を払うことなく、盾本体の上端部を掴むとともに把持部材を掴んで可動片の落下を防ぐという明視的で容易な操作で警報器を非作動状態にすることができるとともに、安全装置を簡易な構成により安価に形成することができる。
【００１５】
請求項４記載のごとく、盾本体の上端部に警報器を非作動状態にするスイッチを設けるとともにバネ蝶番状の把持部材を取り付けて、盾本体の上端部を掴むとともにこの把持部材を掴んでスイッチを押下可能に構成したことにより、従来の休止板を移動させるときと同様の、板の上端部を掴むという操作で、把持部材を把持することに特別な注意を払うことなく、簡易な構造により警報装置や変位センサ又はその両方をオフにして確実に警報装置を非作動状態にする安全装置を形成することができる。
【発明を実施するための最良の形態】
【００１６】
以下、図１乃至図５を参照して本発明に係る防護盾の詳細について説明する。
【００１７】
図１は、本発明に係る防護盾の裏面を示す斜視図である。
【００１８】
防護盾１ａは、板状の盾本体１０の裏面の左右中央に一対の取っ手１１、１１を取り付け、盾本体１０の下部にホルダ１２を設け、このホルダ１２にセンサ（図示せず）を内蔵する警報器１３を取り付け、さらに支持具１４を取り付けて盾本体１０を後傾姿勢で自立可能に構成されている。
盾本体１０の正面側には、図１に破線で示したような、レジが休止中であることを示した「休止中」などの文字４を表示する。
【００１９】
変位センサ２は、ホルダ１２を介して上下にスライド可能に取り付けられた可動片２０にセンサマグネット２１を取り付け、このセンサマグネット２１の上下位置の変位を警報器１３に内蔵したセンサによって検知してなる。
【００２０】
可動片２０は、盾本体１０をレジカウンタ（図示せず）などの上面に静置したとき、その下端をレジカウンタ上面に当接して上位置を保持し、盾本体１０を持ち上げたときは自重により下垂する。
センサは、可動片２０が上位置にあるときは警報器１３を作動させず、可動片２０が自重により下垂したときにマグネット１３の変位を検知して警報器１３を作動して、音や光などを発して鳴動させたり警備会社等へ通報させたりする。
【００２１】
盾本体１０の上部には安全装置３ａを形成する。安全装置３ａは、盾本体１０の上端部にそって帯板状の把持部材３０ａを配置し、図２に示すように、この把持部材３０ａと可動片２０とを連結部材３１によって一体的に連結して支持するとともに、把持部材３０ａを盾本体１０の裏面に沿って上下方向にスライド可能に形成してなる。
連結部材３１は棒状で、固定具３２により盾本体１０に沿って上下方向にスライド可能に取り付けられ、可動片２０が上位置にあるときは把持部材３０ａを盾本体１０の上端部に近い上位置に保持し、可動片２０の下垂に伴って把持部材３０ａを引き下げる。
【００２２】
一般的に従来のレジの休止板は後傾姿勢に形成されており、これを動かすときは普通その上端部を掴んでレジカウンタ上面に置いたり、バックカウンタに移動したりしている。
そのため、上記のごとく構成した防護盾１ａは、通常時は従来と同様のレジ休止板として使用することができるとともに、把持部材３０ａを把持することに特別な注意を払うことなく、普段の動作によって盾本体１０の上端部とともに把持部材３０ａを把持して明視的に安全装置３ａを作動させ、警報器１３を非作動状態にして誤作動させることなく防護盾１ａを移動することができる。さらに、非常時には、取っ手１１をもって盾本体１０を持ち上げ、防護盾１ａを構えることにより可動片２０が下垂して自動に警報器１３が作動し、周囲に危険を報せることができる。
【００２３】
また、図３に示すように、把持部材３０ｂをコ字形状に形成して、盾本体１０の上端部及び左右両側端部に沿うように取り付けて安全装置３ｂを形成してもよい。
【００２４】
この場合、盾本体１０の上端部のみならず側端部を掴んでも盾本体１０とともに把持部材３０ｂを掴むことができるため、より確実に安全装置を作動させて警報器１３を非作動状態にすることができる。
特に、盾本体１０を垂直に自立させて、非常時に取っ手１１をもって盾本体１０を持ち上げやすく構成した場合に有効である。
【００２５】
次に、安全装置の別の実施形態について説明する。
【００２６】
図４は、別の実施形態の安全装置を備えた防護盾の裏面を示す斜視図であり、図５は、別の実施形態の安全装置の側面図である。
【００２７】
本実施形態の安全装置３ｃは、軸部３３ａをバネ状に形成したバネ蝶番状の把持部材３３の一方の側板３３ｂを盾本体１０の上端部に沿って取り付けるとともに、他方の可動板３３ｃを臨む位置にスイッチ３４を取り付けて、この可動板３３ｃによってスイッチ３４を押下可能に構成してなる。
【００２８】
このスイッチ３４は警報器１３に接続されており、スイッチ３４が押下されたとき警報器１３をオフにするか、警報器１３に内蔵されたセンサをオフにするか、又はセンサから警報器１３への信号の伝達を遮断するなどの方法により、警報器１３が光や音などを発したり警備会社等へ自動通報したりしないように警報器１３を非作動状態にする。
【００２９】
上記のごとく構成した防護盾１ｂは、従来の休止板を移動させるときと同様の、盾本体１０の上端部を掴むという操作により、把持部材３３を把持することに特別な注意を払うことなく、盾本体１０の上端部を掴むとともに上端部に沿って設けられたバネ蝶番状の把持部材３３の可動板３３ｃを把持してスイッチ３４を押下して安全装置３ｃを作動し、警報器１３や変位センサ２を電気的にオフして確実に警報器１３を非作動状態にすることができる。
【図面の簡単な説明】
【００３０】
【図１】本発明に係る防護盾の裏面を示す斜視図である。
【図２】本発明に係る防護盾の安全装置の側面図である。
【図３】別の実施形態の把持部材を備えた防護盾の裏面を示す斜視図である。
【図４】別の実施形態の安全装置を備えた防護盾の裏面を示す斜視図である。
【図５】別の実施形態の安全装置の側面図である。
【図６】従来の防護盾を示す斜視図である。
【符号の説明】
【００３１】
１ａ、１ｂ      防護盾
１０            盾本体
１３            警報器
２              変位センサ
３ａ〜３ｃ      安全装置
３０ａ、３０ｂ  把持部材
３１            連結部材
３３            把持部材
３３ａ          軸部
３３ｂ          側板
３３ｃ          可動板
３４            スイッチ
４              文字
【図１】
0004820992.tif 000002
【図２】
0004820992.tif 000003
【図３】
0004820992.tif 000004
【図４】
0004820992.tif 000005
【図５】
0004820992.tif 000006
【図６】
0004820992.tif 000007